(57)【要約】      （修正有）【課題】被検査面から微生物又は遺伝子を簡便に捕集できる捕集方法及び抽出方法を提供する。【解決手段】吸収体を一端に備えた先端部と担持部とを分離可能な棒状部材を備えた捕集器材を用い、捕集器材の吸収体に液状媒体を吸収させる第１の工程と、被検査面に吸収体を接触させて被検査面上の微生物又は遺伝子を捕集する第２の工程と、密封可能な第１の容器を用い、捕集器材を吸収体側から第１の容器の開口部に挿入し、挿入後棒状部材の先端部と担持部とを分離して担持部を第１の容器から取り出し、挿入方向が維持されるように先端部が収納された第１の容器を密封する第３の工程と、密封可能な第２の容器を用い、捕集器材の先端部を、吸収体とは逆側から第２の容器の開口部に挿入されるように第１の容器から第２の容器に挿入し、挿入方向が維持されるように先端部が収納された第２の容器を密封する第４の工程と、を含む微生物及び遺伝子の捕集方法及び抽出方法。【選択図】図４
2019132634.tif 000002
【特許請求の範囲】
【請求項１】
吸収体と、前記吸収体を一端に備えた先端部と担持部とを分離可能な棒状部材と、を備えた捕集器材を用い、前記捕集器材の前記吸収体に液状媒体を吸収させる第１の工程と、
被検査面に前記捕集器材の前記吸収体を接触させて前記被検査面上の微生物又は遺伝子を捕集する第２の工程と、
一端に開口部を有し前記開口部に蓋体を装着することによって密封可能な第１の容器を用い、前記捕集器材を前記吸収体側から前記第１の容器の開口部に挿入し、挿入後前記棒状部材の前記先端部と前記担持部とを分離して前記担持部を前記第１の容器から取り出し、挿入方向が維持されるように前記先端部が収納された前記第１の容器を密封する第３の工程と、
一端に開口部を有し前記開口部に蓋体を装着することによって密封可能な第２の容器を用い、前記捕集器材の前記先端部を、前記吸収体とは逆側から前記第２の容器の開口部に挿入されるように前記第１の容器から前記第２の容器に挿入し、挿入方向が維持されるように前記先端部が収納された前記第２の容器を密封する第４の工程と、
を含む微生物及び遺伝子の捕集方法。
【請求項２】
前記液状媒体の容量が、２０μＬ〜１００μＬである請求項１に記載の微生物及び遺伝子の捕集方法。
【請求項３】
前記第１の工程において、前記液状媒体が前記第１の容器に収納されている請求項１又は２に記載の微生物及び遺伝子の捕集方法。
【請求項４】
前記捕集器材の先端部の露出部の長さが、５ｍｍ〜１０ｍｍである請求項１〜３のいずれか一項に記載の微生物及び遺伝子の捕集方法。
【請求項５】
前記捕集器材を折り切ることで前記先端部と前記担持部とを分離可能な請求項１〜４のいずれか一項に記載の微生物及び遺伝子の捕集方法。
【請求項６】
前記捕集器材が、先端部と担持部とを分離可能な綿棒である請求項１〜５のいずれか一項に記載の微生物及び遺伝子の捕集方法。
【請求項７】
請求項１〜６のいずれか一項に記載の微生物及び遺伝子の捕集方法を用いた微生物及び遺伝子の抽出方法であって、
前記第４の工程によって得られた前記第２の容器を、前記第２の容器内に収納された前記先端部の前記吸収体側が遠心軸側となるように遠心分離機に装着し、遠心分離を行う第５の工程を含む微生物及び遺伝子の抽出方法。
【発明の詳細な説明】
【技術分野】
【０００１】
本発明は、食品分野や医療分野などで実施される拭き取り式検査に関し、微生物及び遺伝子の捕集方法、並びに、その抽出方法に関する。
【背景技術】
【０００２】
従来から、食品分野では、安全衛生面の観点から作業スペースにおいて細菌、ウイルス（以下、単に“微生物”と称することがある）の拭き取り検査が行われている。当該検査では、作業スペースにおける調理器具（例えば、まな板、包丁など）や、その他、冷蔵庫、シンク、棚、ドアノブ、手すり、床などの設備を含め、検査対象の表面に存在している微生物等を、リン酸緩衝液や生理食塩水などの所定量の希釈液を含浸させた綿棒などを用いて拭き取り、これら拭き取った微生物や遺伝子を培養などの手法で検出する拭き取り検査方法が実施されている。また、医療分野においても、医療機器や医療設備などの被検査体の表面を拭き取り、拭き取った微生物や遺伝子を培養などの手法で検出する拭き取り検査方法が実施されている。
【０００３】
微生物や遺伝子検査用（以下、単に“微生物検査”と称することがある）の拭き取り器具としては、蓋体内側に水溶液を保持する微生物拭き取り担体を備えたチューブを用い、遠心分離によって拭き取り後の微生物をチューブ本体内に移行させる技術が開示されている（例えば、下記特許文献１参照）。
【先行技術文献】
【特許文献】
【０００４】
【特許文献１】特開２０１６−８５０８３号公報
【発明の概要】
【発明が解決しようとする課題】
【０００５】
従来、微生物や遺伝子を培養などの手法で検出する方法（例えば、遺伝子増幅法（ポリメーラゼ連鎖反応法（ＰＣＲ法））など）を用いて検査を行う場合、存在量が少ない病原ウイルスや病原菌については、回収後に捕集液を濃縮する方法が採用されている。例えば、従来の方法においては、希釈液量を数ｍＬ〜１０ｍＬ単位としているが、このような希釈液から少量の微生物を回収するには多段階の濃縮操作が必要となる。しかし、多段階の濃縮操作が必要となると、作業が煩雑化し、作業ミスや回収ロス、回収のばらつきに繋がるなどのいくつかの問題点がある。一方、特許文献１に開示される技術においても当該問題点を解決することが検討されているが、拭き取り液量が０．５ｍＬ〜１ｍＬ程度と記載されており、遺伝子増幅法等により検査を行うためには未だ濃縮工程が必要になることが想定される。かかる点において、検査結果の正確性をさらに高めるためには可能な限り濃縮工程が少ない又は濃縮工程を経ないことが望まれる。
【０００６】
さらに、微生物等の捕集作業については、複雑な手段や装置を用いることなく簡便に実施可能であることが好ましい。例えば、食品を扱う店舗や工場等で作業員が特別な知識を必要とすることなく、簡便に微生物等を採取できることが望まれる。また、微生物等の捕集作業の被検査面には、例えば、冷蔵庫の取っ手の裏なども含まれる。このため、捕集に用いられる器材は長さを有するなど操作性に優れるものを用いて簡便に行えることが好ましい。
【０００７】
本発明は、上述の課題を解決すべく、被検査面から微生物又は遺伝子を簡便に捕集できる微生物及び遺伝子の捕集方法、及び、当該捕集方法によって捕集された微生物又は遺伝子を効率良く簡便に抽出できる微生物及び遺伝子の抽出方法を提供することを目的とする。
【課題を解決するための手段】
【０００８】
＜１＞  吸収体と、前記吸収体を一端に備えた先端部と担持部とを分離可能な棒状部材と、を備えた捕集器材を用い、前記捕集器材の前記吸収体に液状媒体を吸収させる第１の工程と、
被検査面に前記捕集器材の前記吸収体を接触させて前記被検査面上の微生物又は遺伝子を捕集する第２の工程と、
一端に開口部を有し前記開口部に蓋体を装着することによって密封可能な第１の容器を用い、前記捕集器材を前記吸収体側から前記第１の容器の開口部に挿入し、挿入後前記棒状部材の前記先端部と前記担持部とを分離して前記担持部を前記第１の容器から取り出し、挿入方向が維持されるように前記先端部が収納された前記第１の容器を密封する第３の工程と、
一端に開口部を有し前記開口部に蓋体を装着することによって密封可能な第２の容器を用い、前記捕集器材の前記先端部を、前記吸収体とは逆側から前記第２の容器の開口部に挿入されるように前記第１の容器から前記第２の容器に挿入し、挿入方向が維持されるように前記先端部が収納された前記第２の容器を密封する第４の工程と、
を含む微生物及び遺伝子の捕集方法。
＜２＞  前記液状媒体の容量が、２０μＬ〜１００μＬである前記＜１＞に記載の微生物及び遺伝子の捕集方法。
＜３＞  前記第１の工程において、前記液状媒体が前記第１の容器に収納されている前記＜１＞又は＜２＞に記載の微生物及び遺伝子の捕集方法。
＜４＞  前記捕集器材の先端部の露出部の長さが、５ｍｍ〜１０ｍｍである前記＜１＞〜＜３＞のいずれか一つに記載の微生物及び遺伝子の捕集方法。
＜５＞  前記捕集器材を折り切ることで前記先端部と前記担持部とを分離可能な前記＜１＞〜＜４＞のいずれか一つに記載の微生物及び遺伝子の捕集方法。
＜６＞  前記捕集器材が、先端部と担持部とを分離可能な綿棒である前記＜１＞〜＜５＞のいずれか一つに記載の微生物及び遺伝子の捕集方法。
＜７＞  前記＜１＞〜＜６＞のいずれか一つに記載の微生物及び遺伝子の捕集方法を用いた微生物及び遺伝子の抽出方法であって、
前記第４の工程によって得られた前記第２の容器を、前記第２の容器内に収納された前記先端部の前記吸収体側が遠心軸側となるように遠心分離機に装着し、遠心分離を行う第５の工程を含む微生物及び遺伝子の抽出方法。
【発明の効果】
【０００９】
本発明によれば、被検査面から微生物又は遺伝子を簡便に捕集できる微生物及び遺伝子の捕集方法、及び、当該捕集方法によって捕集された微生物又は遺伝子を効率良く簡便に抽出できる微生物及び遺伝子の抽出方法を提供することができる。
【図面の簡単な説明】
【００１０】
【図１】綿棒における吸収体の先端部側端部と先端部の担持部側端部との関係について説明するための断面図である。
【図２】本実施形態の第１及び第２の工程の流れを示す概略図である。
【図３】本実施形態の第３の工程の流れを示す概略図である。
【図４】本実施形態の第４の工程の流れを示す概略図である。
【図５】（５−ａ）は本実施形態の第５の工程に用いられる遠心分離機を概略的に示す側面図であり、（５−ｂ）は第５の工程に用いられる遠心分離機と第２の容器との関係を示す上面図である。
【発明を実施するための形態】
【００１１】
以下、本発明の内容について実施態様を用いて詳細に説明する。ただし、以下の実施形態は例示であり、本発明はこれらの実施形態に限定されるものではない。
【００１２】
本実施形態の微生物及び遺伝子の捕集方法（以下、単に「本実施形態の捕集方法」と称することがある。）は、以下の第１〜第４の工程を含む方法である。
（第１の工程）
吸収体と、前記吸収体を一端に備えた先端部と担持部とを分離可能な棒状部材と、を備えた捕集器材を用い、前記捕集器材の前記吸収体に液状媒体を吸収させる工程
（第２の工程）
被検査面に前記捕集器材の前記吸収体を接触させて前記被検査面上の微生物又は遺伝子を捕集する工程
（第３の工程）
一端に開口部を有し前記開口部に蓋体を装着することによって密封可能な第１の容器を用い、前記捕集器材を前記吸収体側から前記第１の容器の開口部に挿入し、挿入後前記棒状部材の前記先端部と前記担持部とを分離して前記担持部を前記第１の容器から取り出し、挿入方向が維持されるように前記先端部が収納された前記第１の容器を密封する工程
（第４の工程）
一端に開口部を有し前記開口部に蓋体を装着することによって密封可能な第２の容器を用い、前記捕集器材の前記先端部を、前記吸収体とは逆側から前記第２の容器の開口部に挿入されるように前記第１の容器から前記第２の容器に挿入し、挿入方向が維持されるように前記先端部が収納された前記第２の容器を密封する工程
【００１３】
また、本実施形態の微生物及び遺伝子の抽出方法（以下、単に「本実施形態の抽出方法」称することがある。）は、上述の第１〜第４の工程を経て得られた第２の容器を用い、下記第５の工程によって微生物等を抽出する方法である。
（第５の工程）
前記第４の工程によって得られた前記第２の容器を、前記第２の容器内に収納された前記先端部の前記吸収体側が遠心軸側となるように遠心分離機に装着し、遠心分離を行う工程
【００１４】
本実施形態の捕集方法によれば、被検査面に存在する微生物等を簡便に捕集し、密封することができる。特に、本実施形態の捕集方法によれば、微生物等を捕集した捕集器材を分離して担持部を取り除き、先端部のみを第１の容器に格納しこれを密封するため、簡便でありながら高い密封性にて微生物等を捕集できる。このため、店舗や工場等においても、従業員が特別な知識を要することなく、被検査面の微生物等を簡便に捕集することができる。
また、本実施形態の抽出方法によれば、少ない液体媒体量で捕集器材の吸収体に捕集した微生物又は遺伝子を、遠心分離によって効率良く抽出することが可能である。このため、得られた捕集液は、濃縮工程を経ずに顕微鏡などによる直接の観察、遺伝子検査、免疫学的検査又は培養検査などの微生物検査を行うことができる。
【００１５】
ここで、本実施形態の検査対象となる微生物（細菌を含む）又は遺伝子としては、例えば、クリストスポリジウム、赤痢アメーバなどの原虫、カンジダや酵母、かびなどの真菌、腸管出血性大腸菌、腸管侵入性大腸菌、赤痢菌、毒素原性大腸菌、サルモネラ属菌、リステリア菌、ビブリオ菌、カンピロバクター菌、黄色ブドウ球菌、ウエルシュ菌、ボツリヌス菌、セレウス菌などの食中毒原因菌や緑膿菌やレジオネラ菌などの細菌、ノロウイルス、サポウイルス、ロタウイルス、アデノウイルス、アストロウイルスなどの下痢症ウイルスやエンテロウイルス、肝炎ウイルス、コクサッキーウイルスなどのウイルスやその他微生物の痕跡としての遺伝子が含まれる。
本実施形態の捕集方法及び抽出方法（以下、これらを総じて「本実施形態の方法」と称することがある。）は、特に少ない液体媒体量で微生物等の捕集及び抽出が可能であることから、上述の細菌、微生物又は遺伝子の中でも少ない菌数、あるいはウイルス数で感染が成立する病原ウイルスや病原菌（例えば、ノロウイルス、腸管出血性大腸菌やカンピロバクター等）の捕集・抽出方法として好適に用いることができる。例えば、ノロウイルスは１０〜１００個などの存在量でも感染の恐れがある。このため、捕集液を濃縮せずに用いて検査した場合には、例え検査結果が“陰性”であっても完全に感染性がないと言い切るのが難しい場合がある。一方、希釈されていない捕集液を用いた場合、検査結果が“陰性”であれば感染がないと言い切れる可能性が高く、検査結果の信頼度が高い。
【００１６】
［本実施形態の捕集方法］
上述のように、本実施形態の捕集方法は、第１〜第４の工程を含む方法である。以下、第１〜第４の工程について説明する。
【００１７】
（第１の工程）
本実施形態の方法において、第１の工程は、吸収体と、前記吸収体を一端に備えた先端部と担持部とを分離可能な棒状部材と、を備えた捕集器材を用い、前記捕集器材の前記吸収体に液状媒体を吸収させる工程である。当該工程において吸収体に液状媒体を吸収させることで、吸収体によって被検査面を拭き取った際に被検査面上に存在する微生物等を吸収体中に捕集することができる。
【００１８】
−捕集器材−
本実施形態において、捕集器材は、吸収体と、棒状部材と、を備えており、棒状部材の一端に吸収体が備えられている。本実施形態における捕集器材は、棒状部材を二つに分離することで、吸収体が備えられた先端部と担持部とに分離することができる。また、本実施形態における捕集器材は棒状部材を用いているため、拭き取りの際の操作性に優れる。
【００１９】
吸収体は、液状媒体を吸収させることで拭き取った微生物等を捕集・維持することができる部材である。また、吸収体に遠心分離などを行うことによって、吸収体中に維持された微生物等を液状媒体と共に抽出することができる。吸収体を構成する材料は、後述する液状媒体を吸収し、被検査面の微生物等を捕集できるものであれば特に限定されない。吸収体に用いることのできる材料としては、例えば、綿球、スポンジ、ガーゼ等が挙げられる。また、吸収体のサイズ及び形状も特に限定されるものではなく、後述する第１及び第２の容器（例えば、微生物検査に用いられる遠心分離機用のマイクロチューブ等）のサイズに合わせて適宜選定することができる。ただし、本実施形態の方法によれば、少ない量の液状媒体にて微生物等の捕集を行う観点から、例えば、吸収される液量が２０〜１００μＬとなるように吸収体のサイズ等を決定することができる。
【００２０】
棒状部材は吸収体の支持部材として機能する部材である。また、棒状部材は、少なくとも先端部と担持部とに分離することが可能なように設計されている。先端部と担持部との分離手段は特に限定されるものではないが、例えば、先端部と担持部との分離部位の強度を他の部位よりも低くして、外部より力が加わった場合に当該分離部位が折れるなど分離可能なように設計することができる。分離部位の強度を低くするためには、例えば、棒状部材に切り欠けを入れたり、分離部位に該当する箇所の径を他の部位よりも細くする等の方法が挙げられる。
棒状部材に用いられる材料は、ある程度の剛性を有し、液体を吸収しない部材であれば特に限定されないが、例えば、ポリスチレン等のプラスチック材等が挙げることができる。また、先端部と担持部とを同一の材料で形成してもよいし、異なる材料で形成してもよい。また、棒状部材の先端部のサイズ（全長）は特に限定されないが、例えば、後述する第３及び４の工程にて、各容器に収納された後、開口部に蓋体を取り付けることができるサイズ（すなわち、各容器の全長よりも短い）であって、且つ、第５の工程にて捕集液を抽出した際に第２の容器内で吸収体の位置が捕集液の液面よりも容器の開口部側に位置できる長さであることが好ましい。また、棒状部材の担持部についてもサイズについては特に限定はないが、分離後の視認性及び微生物等の捕集時（拭き取り時）の操作性を向上させるため、４ｃｍ〜１８ｃｍ程度の長さとすることができ、好ましくは６ｃｍ〜１３ｃｍとすることができる。
【００２１】
前記捕集器材としては、例えば、吸収体が綿球、棒状部材がプラスチックなどで形成された、先端部と担持部とを分離可能な綿棒を用いることができる。捕集器材が綿棒である場合、吸収体（綿球）のサイズを、例えば、直径３ｍｍ〜１０ｍｍ、長さ８ｍｍ〜１５ｍｍとし、棒状部材全体のサイズを、例えば、直径２ｍｍ〜５ｍｍ、長さ６ｃｍ〜２０ｃｍとすることができる。この際、先端部の露出部の長さ（吸収体の先端部側端部から先端部の担持部側端部までの距離）を、例えば、５ｍｍ〜１０ｍｍとすることができる。先端部の露出部の長さは、後述する第５の工程における遠心分離の際にマイクロチューブの先端側に抽出された捕集液と綿球とが接触するのを抑制する効果に影響を与え得るものとなる。このため、上述の“吸収体の先端部側端部”は、吸収体の最も先端部側に位置する部位が基準となる。
【００２２】
例えば、一般的な綿棒は、綿球に棒状部材の先端が挿入されており、綿球の一部分が棒状部材の表面を被覆するように構成されている。図１を用いて綿棒の綿球（吸収体）の先端部側端部と先端部の担持部側端部との関係について説明する。図１は、綿棒における吸収体の先端部側端部と先端部の担持部側端部との関係について説明するための断面図である。図１に示すように、綿球２２に棒状部材の先端部２４が挿入されている場合、先端部２４の一部が綿球２２の一部に被覆されることとなる。この場合、綿球２２の繊維の端（いわゆる、“生え際”）のうち最も先端部側に位置する部位が、綿球２２（吸収体）の先端部側端部となる（図１における点線Ｅ２）。すなわち、図１においては、綿球２２の先端（図１における点線Ｅ１）から点線Ｅ２までの距離が、“綿球の長さ”となる。同様に、図１においては、綿球２２の先端部側端部（点線Ｅ２）から先端部２４の担持部側端部（図１における点線Ｅ３）までの距離が、“先端部の露出部の長さ”となる。
【００２３】
−液状媒体−
液状媒体は、吸収体が微生物等を捕集するのを補助する材料であって、一般に緩衝液や希釈液と呼ばれる水溶液等を用いることができる。液状媒体としては、例えば、生理食塩水、リン酸緩衝生理食塩水（ＰＢＳ）などの緩衝液や水などを用いることができる。また、液状媒体は必ずしも液状である必要はなく、微生物等が吸収体に捕集されるのを補助可能な媒体であれば、例えば、ゲル状などであってもよい。
【００２４】
第１の工程においては、捕集器材の吸収体に液状媒体を吸収させる。吸収体に吸収される液状媒体の容量は、遠心力によって捕集液を抽出し、濃縮工程を経ることなく効率的に微生物検出を行う観点から、２０μＬ〜１００μＬであることが好ましく、３０μＬ〜４０μＬがさらに好ましい。また、第１の工程においては、液状媒体が、予め容器内に収納された後述する第１の容器内を用いることができる。この場合、第１の容器から蓋体を外し、その後、容器内に捕集器材の吸収体を挿入して液状媒体を吸収体に吸収させることができる。また、液状媒体には、第２の工程で捕集する微生物の移行を促進したり、捕集した微生物の生存を担保する観点から、界面活性剤や微生物の栄養素やゲル化剤や塩などを添加してもよい。
【００２５】
（第２の工程）
第２の工程は、被検査面に前記捕集器材の前記吸収体を接触させて前記被検査面上の微生物又は遺伝子を捕集する工程である。当該工程において吸収体中に微生物等が捕集される。被検査面に吸収体を接触させる方法は特に限定はなく、例えば、吸収体によって被検査面を拭き取る方法が例として挙げられる。
【００２６】
（第３の工程）
第３の工程は、一端に開口部を有し前記開口部に蓋体を装着することによって密封可能な第１の容器を用い、前記捕集器材を前記吸収体側から前記第１の容器の開口部に挿入し、挿入後前記棒状部材の前記先端部と前記担持部とを分離して前記担持部を前記第１の容器から取り出し、挿入方向が維持されるように前記先端部が収納された前記第１の容器を密封する工程である。本工程は、第２の工程において被検査面の微生物を吸収体中に捕集した後、吸収体を備えた捕集器材の先端部のみを第１の容器中に密封する工程である。
【００２７】
捕集器材は、第２の工程において被検査面の微生物を吸収体中に捕集した後、吸収体側から第１の容器の開口部に挿入され、その後、先端部と担持部とに分離される。先端部と担持部との分離方法は、特に限定されないが、例えば、第１の容器の壁面を利用し、テコの原理を用いて、捕集器材を折り切ることで先端部と担持部とを分離することができる。先端部から分離された担持部は第１の容器から取り出され、その後、開口部に蓋体を装着して第１の容器を密封する。このように、本実施形態の方法によれば、吸収体及びその周辺部に直接触れることなく、担持部を除去し、吸収体を備えた先端部のみを第１の容器中に密封することができる。このため、第１の容器中に捕集した微生物等に、第１、第２、第３の工程を実施する作業者（主に手指）由来の微生物等が混入するのを効果的に抑制することができる。
また、第１の容器に収納された捕集器材（先端部）は、吸収体が設けられている側が第１の容器の他端側（すなわち、閉塞されている側）であり、収納後も捕集器材が挿入された方向（挿入方向）が第１の容器内で維持される。
【００２８】
−第１の容器−
第１の容器は、一端に開口部を有し、開口部に蓋体を装着することによって密封可能な容器である。また、第１の容器の他端は壁面などで閉塞されており、例えば、他端を下方にした場合に容器内の液体が溜まるように構成されている。第１の容器のサイズ及び形状は特に限定はなく、例えば、遠心分離機に使用されるマイクロチューブなど公知の密封可能な容器を適宜利用することができる。
第１の容器の開口部には蓋体が装着可能なように構成されており、開口部に蓋体を装着することで第１の容器が密封される。蓋体は、螺合又は圧着手段など公知の手段を適用して開口部に装着させることができる。
第１の容器の素材は特に限定されるものではなく、マイクロチューブに用いられる材料等公知の材料を適宜用いることができ、例えば、色つきのものなども用いることができる。また、第１の容器は、棒状部材の先端部が収納された後、その挿入方向が維持される形状であることを要する。このような形状としては、例えば、第１の容器の内径が先端部の全長（吸収体を含む）よりも小さい筒状体などが挙げられる。第１の容器のサイズは、例えば、直径８ｍｍ〜１５ｍｍ、長さ３０ｍｍ〜５０ｍｍとすることができ、容量的には２．５ｍＬ，２ｍＬ又は１．５ｍＬ用などのマイクロチューブを用いることができる。さらに、上述のように、第１の容器は上述の液状媒体が、例えば、２０μＬ〜１００μＬ、好ましくは３０μＬ〜４０μＬ、予め収納されたものを用いることができる。
【００２９】
（第４の工程）
第４の工程は、一端に開口部を有し前記開口部に蓋体を装着することによって密封可能な第２の容器を用い、前記捕集器材の前記先端部を、前記吸収体とは逆側から前記第２の容器の開口部に挿入されるように前記第１の容器から前記第２の容器に挿入し、挿入方向が維持されるように前記先端部が収納された前記第２の容器を密封する工程である。本工程は、第３の工程において第１の容器に密封された捕集器材を、挿入方向を逆にして、第２の容器に移し替え、その後密封する工程である。
【００３０】
本工程において、第１の容器から取り出された捕集器材は、吸収体が設けられている側とは逆側から第２の容器の開口部に挿入される。第１の容器内では開口部と逆側（すなわち他端側）に捕集器材の吸収体側が位置しているため、第１の容器の開口部から取り出した状態のまま第２の容器の開口部に捕集器材を挿入すれば、捕集器材（先端部）は吸収体が設けられている側とは逆側から第２の容器の開口部に挿入される。
第２の容器に挿入された後、捕集器材は収納後も捕集器材が挿入された方向（挿入方向）が第２の容器内で維持されるように密封される。
【００３１】
−第２の容器−
第２の容器は、一端に開口部を有し前記開口部に蓋体を装着することによって密封可能な容器であり、第１の容器と同様の容器を用いることができる。
【００３２】
［本実施形態の抽出方法］
上述のように、本実施形態の抽出方法は、上述の第１〜第４の工程を経て得られた第２の容器を用い、第５の工程によって微生物等を抽出する方法である。
【００３３】
（第５の工程）
第５の工程は、前記第４の工程によって得られた前記第２の容器を、前記第２の容器内に収納された前記先端部の前記吸収体側が遠心軸側となるように遠心分離機に装着し、遠心分離を行う工程である。本工程においては、収納された先端部の吸収体側が遠心軸側となるように第２の容器を遠心分離機に装着し、遠心分離を行うことで、吸収体に捕集されていた微生物等を含む液状媒体（捕集液）が第２の容器の他端側（開口部と逆側）に抽出される。第４の工程を経た第２の容器中の捕集器材は、開口部側に吸収体が位置しており、他端側が先端部となる。このように、先端部の存在によって第２の容器内の他端側（開口部とは逆側）の壁面と吸収体との間にギャップを設けることができるため、第２の容器の他端側が回転軸外側になるように設置して遠心分離を行うことで、第２の容器の他端側に捕集液を溜めた際に吸収体と捕集液とが再び接触するのを抑制することができる。
【００３４】
−遠心分離機−
本工程に用いることのできる遠心分離機は、回転軸を中心として第２の容器を設置でき、駆動機構によって回転軸を中心に回転ロータが回転し、第２の容器中の吸収体から微生物等を遠心分離できる装置である。遠心分離機は、特に限定されるものではなく、例えば、卓上型の小型微量遠心機など市販されているものを適宜選定して用いることができる。遠心条件については特に限定はなく、用いるサンプル量や装置に応じて適宜設定することができる。遠心条件としては、低速遠心（例えば、遠心力１０００〜３０００［×ｇ］で３〜１０秒間）で行うことができる。
【００３５】
−捕集液−
本工程において抽出された捕集液は、吸収体に捕集された微生物等と液体媒体とが高効率で抽出されたものであるため、濃縮工程を施すことなく、顕微鏡などによる直接の観察、遺伝子検査、免疫学的検査又は培養検査などの微生物検査に使用することができる。
【００３６】
［第１の実施形態］
以下、本実施形態の方法について図を用いて具体的に説明する。
図２は、本実施形態の第１及び第２の工程の流れを示す概略図である。図２に示すように、マイクロチューブ１０（第１の容器）は、チューブ本体２と蓋体４とから構成される。チューブ本体２の一端（紙面上側）には開口部８が設けられており、開口部８に蓋体４を装着することでマイクロチューブ１０を密封できる。図２に示すようにチューブ本体２は、一端に開口部８を有し他端（先端：紙面下側）が壁面で閉鎖されている。また、チューブ本体２は、開口部８側から先端側に向かって一定の長さで径が同一の筒状となる部位を有するとともに、さらに先端側に向かって径が縮小してテーパ状となる部位を有している。チューブ本体２の他端は、マイクロチューブ１０の先端を形成しており、内部において液溜部としての役割を果たすことができる。図２の（１−ａ）においてはマイクロチューブ１０の内部に緩衝液６（液状媒体）が溜められている。なお、マイクロチューブ１０中の緩衝液６は必ずしも通常状態時に先端側に溜まっている必要はなく、使用時に開口部８側を支点としてマイクロチューブ１０を振ることで緩衝液６をその先端に集めることができる。
【００３７】
図２の（１―ｂ）に示すように、まず、綿球２２（吸収体）と、先端部２４及び担持部２６を分離可能な棒状部材と、を備えた綿棒２０（捕集器材）をマイクロチューブ１０に挿入し、綿球２２に緩衝液６を吸収させる（第１の工程）。綿棒２０には先端部２４と担持部２６との分離手段として切り欠き２８が設けられている。
【００３８】
次いで、図２の（２）に示すように、緩衝液６を吸収させた綿棒２０をマイクロチューブ１０から引き抜き、その後、綿棒２０の綿球２２が接触するようにして被検査面３２を拭き取り、被検査面３２上の微生物又は遺伝子を綿球２２中に捕集する（第２の工程）。
【００３９】
図３を用いて第３の工程について説明する。図３は、本実施形態の第３の工程の流れを示す概略図である。図３の（３−ａ）に示すように、微生物等を捕集した綿棒２０を綿球２２側からマイクロチューブ１０の開口部８に挿入する。次いで、図３の（３−ｂ）に示すように、切り欠き部２８に力が加わるようにマイクロチューブ１０の壁面を利用して綿棒２０を折り切り、先端部２４と担持部２６とを分離する。その後、図３の（３−ｃ）に示すように、担持部２６のみをマイクロチューブ１０から取り出し、先端部２４を残し、蓋体４を装着してマイクロチューブ１０を密封する。この際、マイクロチューブ１０内では、綿球２２がマイクロチューブ１０の他端側（紙面下側）に位置するように先端部２４の挿入方向が維持される。例えば、微生物等を捕集した場所と微生物検査を行う場所とが異なる場合、第３の工程にて密封されたマイクロチューブ１０を、微生物等を捕集した場所から微生物検査を行う検査センターなどに搬送することができる。本実施形態においては、マイクロチューブ１０は携帯性及び密封性に優れていることから、例えば、封筒等に入れてマイクロチューブ１０を検査センター等に低コストで郵送することができる。
【００４０】
図４を用いて第４の工程について説明する。図４は、本実施形態の第４の工程の流れを示す概略図である。第４の工程において、マイクロチューブ１０に密封された先端部２４を、マイクロチューブ３０に移し替え、その後マイクロチューブ３０を密封する。本実施形態においては同一形状及びサイズのマイクロチューブ１０とマイクロチューブ３０とを用いているが、マイクロチューブ１０とマイクロチューブ３０とで異なる形状又はサイズのものを用いてもよい。
【００４１】
図４の（４−ａ）に示すように、本実施形態の第４の工程においては、マイクロチューブ３０（第２の容器）を用い、マイクロチューブ３０から蓋体３４を脱着し、さらにマイクロチューブ１０から蓋体４を脱着して、マイクロチューブ１０内に収納された綿棒の先端部２４を、マイクロチューブ１０から、開口部３６よりマイクロチューブ３０内に挿入する。この際、先端部２４は図中の矢印で示すようにマイクロチューブ１０の壁面を滑り落ちてマイクロチューブ３０中に挿入される。このため、マイクロチューブ１０からマイクロチューブ３０への移行を、綿棒の先端部２４が人の指等に触れることなく行うことができる。また、綿棒の先端部２４は、綿球２２がマイクロチューブ３０の開口部３６側（紙面上側）となり挿入方向が維持される。その後、蓋体３４を装着して綿棒の先端部２４を収納したままマイクロチューブ３０を密封する。
【００４２】
つぎに、第５の工程について説明する。図５において、（５−ａ）は本実施形態の第５の工程に用いられる遠心分離機を概略的に示す側面図であり、（５−ｂ）は第５の工程に用いられる遠心分離機と第２の容器との関係を示す上面図である。詳細については省略するが、図５の（５−ａ）に示すように、遠心分離機４０は、一点鎖線で示される回転軸（遠心軸）Ｒを中心に回転する回転ロータ４２を備える。回転ロータ４２には、複数のマイクロチューブ３０が設置される。
【００４３】
図５の（５−ｂ）に示されるように、複数のマイクロチューブ３０は、第４の工程によって得られたマイクロチューブ３０であり、容器内に収納された綿棒の先端部２４の綿球２２側が回転軸Ｒ側となるように遠心分離機４０に装着される。なお、本実施の形態においては８つのマイクロチューブ３０が遠心分離機４０に設置されているが、マイクロチューブ３０の設置数は特に限定されるものではない。
【００４４】
第５の工程においては、図示を省略する駆動機構によって回転軸Ｒを中心に回転ロータ４２が高速回転し、遠心力によって綿球２２から微生物等を含む捕集液がマイクロチューブ３０中に抽出される。遠心分離後は綿球２２から抽出された捕集液がマイクロチューブ３０の先端側に溜められる。この際、先端部２４の存在により、マイクロチューブ３０の先端側に抽出された捕集液と綿球２２とが接触するのを抑制することができる。
【００４５】
本実施形態の方法によれば、第２の工程にて捕集した微生物等の抽出について、第３の工程における先端部２４と第４の工程における先端部２４との挿入方向（綿球２２が位置する方向）を逆にすることで、第５の工程にて綿球２２（吸収体）から捕集液を効率的に抽出できる。このため、本工程において抽出された捕集液は、濃縮工程を施すことなく、顕微鏡などによる直接の観察、遺伝子検査、免疫学的検査又は培養検査などの微生物検査に使用することができる。
【００４６】
以上、本発明の捕集方法、及び、抽出方法について実施例を用いて説明したが、本発明はこれに限定されるものではない。
【符号の説明】
【００４７】
２  チューブ本体、４  蓋体、６  緩衝液（液状媒体）、８  開口部、１０  マイクロチューブ（第１の容器）、２０  綿棒（捕集器材）、２２  綿球（吸収体）、２４  先端部、２６  担持部、２８  切り欠き部、３０  マイクロチューブ（第２の容器）、３２  被検査面、３４  蓋体、３６  開口部、４０  遠心分離機、４２  回転ロータ
【図１】
2019132634.tif 000003
【図２】
2019132634.tif 000004
【図３】
2019132634.tif 000005
【図４】
2019132634.tif 000006
【図５】
2019132634.tif 000007